(57)【要約】      （修正有）【課題】靴のフィッティングや歩行時の足のサポートに対して有効な効果を有する靴用中敷きパッドを提供する。【解決手段】靴用中敷きパッドは、中央部に位置し膨らんだ中央底パッド部２と、中央底パッド部の両側方に位置し湾曲可能な内側横パッド部３及び外側横パッド部４とを備え、中央底パッド部は少なくとも２種の異材質部材で形成されている。足裏に当接する部分には押せばへこむ低反発軟質材が形成され、靴内部の底部に当接する部分には衝撃を吸収する衝撃吸収材が形成されている。【選択図】図１
0003221766.tif 000002
【実用新案登録請求の範囲】
【請求項１】
靴内部の底部に設けられて使用される靴用中敷きパッドであって、中央部に位置し膨らんだ中央底パッド部と、前記中央底パッド部の両側方に位置し湾曲可能な内側横パッド部及び外側横パッド部とを備え、前記中央底パッド部は少なくとも２種の異材質部材で形成されていることを特徴とする靴用中敷きパッド。
【請求項２】
前記中央底パッド部は少なくとも２種の異材質部材であって、足裏に当接する部分には押せばへこむ低反発軟質材で形成されるとともに、靴内部の底部に当接する部分には衝撃を吸収する衝撃吸収材で形成されている請求項１に記載の靴用中敷きパッド。
【請求項３】
前記中央底パッド部は、前記靴の底部に装着された状態において各中足骨の略先端部における横アーチが前記中央底パッド部の前方底パッド部によって補助されるとともに、足根骨における横アーチが前記中央底パッド部の後方底パッド部によって補助され、更に脛側の前記中足骨と腓側の前記中足骨の両側面に対して前記内側横パッド部と前記外側横パッド部が足幅方向両側から当接されるようにしてなる請求項１又は請求項２のいずれか１項に記載の靴用中敷きパッド。
【請求項４】
２種の異材質部材は、低反発軟質材と前記低反発部材に比し高反発の低反発部材とで構成されている請求項１乃至３のいずれか１項に記載の靴用中敷きパッド。
【考案の詳細な説明】
【技術分野】
【０００１】本考案は、靴内部の底部に設けられることにより靴底の高さ及び靴内部の横幅寸法等が適宜に調整される靴用中敷きパッドに関するものである。
【背景技術】
【０００２】  従来より知られている靴の中敷きに載置される中敷きは、足の形状や大きさなどに対して靴の大きさや形状を合わせるものが多く、通気性、消臭、クッションに関する機能を付加したものが市販されているが、靴のフィッティングや歩行時の足のサポートに対して有効な効果が期待できないものである。【０００３】  このような問題点を解消するものとして提案された特開２０００−２８７７０５号公報（特許文献１）に示された中敷きには所定の箇所にパッドを設けて外反母趾などによって突出した部位に当接し、該部位の突出を拘束するようにしているが、突出した部位だけを局部的に押し付けるにすぎず、圧力が突出部位だけに集中して歩行に苦痛を伴うおそれがあるという問題点があった。【０００４】  また、特開平１１−２２６０４２号公報（特許文献２）には、靴の中底に重ねあわされるプレート状でその厚さ寸法を足指の付根から踵近くまで略全体に亘って足裏の静的な形状に沿うようにして連続的に変化させた構造が開示されているが、単に足裏の静的な形状に沿うようにしただけでは足を形成する多数本の骨を十分に補助しつつ、動的な歩行という動きに追従して有効な補助を実現することができないという問題点があった。
【先行技術文献】
【特許文献】
【０００５】
【特許文献１】特開２０００−２８７７０５号公報
【特許文献２】特開平１１−２２６０４２号公報
【考案の概要】
【考案が解決しようとする課題】
【０００６】  本考案は上記従来の課題を解決するもので、靴のフィッティング機能や歩行支援機能が有利に発揮され得る新規な構造の靴用中敷きパッドを提供するものである。
【課題を解決するための手段】
【０００７】  本考案の靴用中敷きパッドは、靴内部の底部に設けられて使用される靴用中敷きパッドであって、中央部に位置し膨らんだ中央底パッド部と、前記中央底パッド部の両側方に位置し湾曲可能な内側横パッド部及び外側横パッド部とを備え、前記中央底パッド部は少なくとも２種の異材質部材で形成されていることを特徴とする。
また、前記中央底パッド部は少なくとも２種の異材質部材であって、足裏に当接する部分には押せばへこむ低反発軟質材で形成されるとともに、靴内部の底部に当接する部分には衝撃を吸収する衝撃吸収材で形成されているのが望ましい。
また、前記中央底パッド部は、前記靴の底部に装着された状態において各中足骨の略先端部における横アーチが前記中央底パッド部の前方底パッド部によって補助されるとともに、足根骨における横アーチが前記中央底パッド部の後方底パッド部によって補助され、更に脛側の前記中足骨と腓側の前記中足骨の両側面に対して前記内側横パッド部と前記外側横パッド部が足幅方向両側から当接されるようにしてなるのが望ましい。
また、２種の異材質部材は、低反発軟質材と前記低反発部材に比し高反発の低反発部材とで構成されているのが望ましい。
【考案の効果】
【０００８】  本考案の靴用中敷きパッドは、靴内部の底部に設けられて使用される靴用中敷きパッドであって、中央部に位置し膨らんだ中央底パッド部と、前記中央底パッド部の両側方に位置し湾曲可能な内側横パッド部及び外側横パッド部とを備え、前記中央底パッド部は少なくとも２種の異材質部材で形成されていることを特徴とするものであるから、足裏に当接する部分には押せばへこむ低反発軟質材で形成されるとともに、靴内部の底部に当接する部分には衝撃を吸収する衝撃吸収材で形成されるようにしたものは、低反発部材はその時々の足裏の形状にフィットし、外反母趾や内反小趾などによって突出した部位に当接してもその部分だけが反発無くへこむので、圧力が突出部位に集中することが無く、歩行に苦痛を伴うことが無いという効果があり、更に、靴内部の底部に当接する部分は衝撃を吸収する衝撃吸収材で形成されているので、地面から受ける衝撃を靴の底部に設けられているクッション材と、前記衝撃吸収材とで吸収するので、足裏に伝わる衝撃が小さくなるのであり、その結果、外反母趾や内反小趾などによって突出した部位への圧力が集中することが無く、歩行に苦痛を伴うことが更に無くなるという効果があり、更に、靴用中敷きパッドを反転させて装着したものは、足裏への反発力を高めることが出来、足の裏が持ち上がった感触を与えることができることができ、使用者の好みにより代えることができるという効果があり、中央底パッド部を少なくとも２種の異材質部材で形成することで、使用者の希望に応じた靴用中敷きパッドを提供することが出来るという効果がある。
請求項２のように、足裏に当接する部分には押せばへこむ低反発軟質材で形成されるとともに、靴内部の底部に当接する部分には衝撃を吸収する衝撃吸収材で形成されるようにしたものは、足裏に当接する部分には押せばへこむ低反発軟質材で形成されるとともに、靴内部の底部に当接する部分には衝撃を吸収する衝撃吸収材で形成されるようにしたものは、低反発部材はその時々の足裏の形状にフィットし、外反母趾や内反小趾などによって突出した部位に当接してもその部分だけが反発無くへこむので、圧力が突出部位に集中することが無く、歩行に苦痛を伴うことが無いという効果があり、更に、靴内部の底部に当接する部分は衝撃を吸収する衝撃吸収材で形成されているので、地面から受ける衝撃を靴の底部に設けられているクッション材と、前記衝撃吸収材とで吸収するので、足裏に伝わる衝撃が小さくなるのであり、その結果、外反母趾や内反小趾などによって突出した部位への圧力が集中することが無く、歩行に苦痛を伴うことが更に無くなるという効果がある。
請求項３のように、中央底パッド部は、前記靴の底部に装着された状態において各中足骨の略先端部における横アーチが前記中央底パッド部の前方底パッド部によって補助されるとともに、足根骨における横アーチが前記中央底パッド部の後方底パッド部によって補助され、更に脛側の前記中足骨と腓側の前記中足骨の両側面に対して前記内側横パッド部と前記外側横パッド部が足幅方向両側から当接されるようにしてなるものは、前後の底パッド部で二つの横アーチが補助されているとともに内外の横パッド部で脛、腓、両側の中足骨が足幅方向両側から支持され、その結果、歩行の際に各パッド部が靴や足の動的変化に追従するように変位変形して歩行支援が重要な部位とされる二つの横アーチや中足骨が効果的に補助されるという効果がある。
請求項４のように、２種の異材質部材は、低反発軟質材と前記低反発部材に比し高反発の低反発部材とで構成されているものは、２種の異材質部材とも低反発部材であり、衝撃吸収よりも足裏に対する衝撃を吸収することができ、足裏の形状に馴染ませることが可能となり、足裏の形状に優しい靴用中敷きパッドを提供できるという効果がある。
【図面の簡単な説明】
【０００９】
【図１】本考案の靴用中敷きパッドの一実施例の左足用の平面図である。
【図２】同上の靴用中敷きパッドの底面図である。
【図３】図２におけるＡ−Ａ断面図である。」
＋：￥におけるＣ−Ｃ断面図である。
【図６】本考案の靴用中敷きパッドの動作状態を説明する図５に対応する断面図である。
【図７】図１の靴用中敷きパッドをハイヒールに装着した縦断面図である。
【図８】図７における靴用中敷きパッドの装着状態においてハイヒールのアッパーを除いた状態を示す平面図である。
【図９】図８におけるＤ−Ｄ断面図である。
【図１０】図８におけるＥ−Ｅ断面図である。
【考案を実施するための形態】
【００１０】以下、本考案を実施の形態の一例を図１乃至図１０に基づいて詳述すると、本考案の靴用中敷きパッド１は、靴Ｋ内部の底部Ｔに設けられて使用される靴用中敷きパッド１であって、中央部に位置し膨らんだ中央底パッド部２と、前記中央底パッド部２の両側方に位置し膨らんだ湾曲可能な内側横パッド部３及び外側横パッド部４とを本体シート５に備え、前記中央底パッド部２は少なくとも２種の異材質部材であって足裏に当接する部分は押せばへこむ低反発軟質材６で形成されるとともに、靴内部の底部に当接する部分は衝撃を吸収する衝撃吸収材７で形成されており、男性の靴やハイヒールの中底に載置されることによって靴底の高さ寸法や靴の内幅寸法などを適宜調整できるようになっている。靴用中敷きパッド１は、全体の厚みは７ミリメートルに設定されており、薄い部位で３ミリメートルに設定されている。
【００１１】  中央底パッド部２は、上面から見ると平面状であって、前部に位置する略楕円形状の前方底パッド部８と、前方底パッド部８の後方に位置し、前方底パッド部８よりも幅狭の略四角形状の後方底パッド部９とが同一平面状に連接して形成されており、本体シート５に接着されている。前方底パッド部８は後方底パッド部９に対して足の形状に合わせて中心線は右側に所定角度傾斜して形成されている。
【００１２】  前方底パッド部８は、足の甲裏部が位置する部分であり、後方底パッド部９は足裏の土踏まずが位置する部分であり、後方底パッド部９は前方底パッド部８に比し幅が狭く形成されており、後端部に向かうに従って幅が徐々に広くしている。中央底パッド部２の足裏に当接する部分は押せばへこむ厚みが３ミリメートルの低反発軟質材６で形成されているが、低反発軟質材６として低反発発泡ウレタン材、低反発弾性軟質ポリウレタンフォーム、スポンジなどの反発弾性率（ＪＩＳＫ６４００−３）が１５％以下のものが望ましい。今回は、株式会社イノアックコーポレーションのマイクロセルポリシートのポロン（登録商標）のＴＭ−１５を採用したが同等の性能が出るものであれば、これ以外のものを採用することも可能であり、特に、反発弾性率（ＪＩＳＫ６４００−３）において、プラスマイナス２０％以内のものであれば使用可能である。低反発軟質材６の硬度が高いと足にトラブルのある使用者には痛みが発生することもあるので軟質が好ましい。低反発だと使用者の足の形状に人工的合わすことができるので好ましい。
【００１３】  本体シート５は、薄肉の平坦なポリウレタン樹脂材でできたシートであり、靴の爪先側に位置する爪先側部分８が略半円状で靴の踵側に位置する踵側部分９が略四角形状に形成されている。本体シート５は、中央底パッド部２よりも大きく形成されているので、前方底パッド部８の中間位置から後方底パッド部９の後端位置までの幅方向両側には幅方向外方に突出する第１の張出部１０、第２の張出部１１が形成され、それ以外の部分には幅が５ミリメートルから１０ミリメートルのフランジ部１２が形成される。
【００１４】  衝撃吸収材７は、本体シート５に接着されている。衝撃吸収材７は、前方底パッド部８に対面する本体シート５の下面位置には円形形状で中央に向かうに従って高さが高くなる第１の衝撃吸収材１３が形成され、後方底パッド部８に対応する本体シート５の下面位置には楕円形状を引き伸ばした略楕円形状で中央に向かうに従って高さが高くなり、第１の衝撃吸収材１３と５ミリメートル程度の第１の薄肉部Ｓ１を介して第１の衝撃吸収材１３と同一高さの第２の衝撃吸収材１４が形成されている。第１の衝撃吸収材１３は第２衝撃吸収材１４に対して足の形状に合わせて所定角度傾斜した位置に形成されている。第１の衝撃吸収材１３及び第２衝撃吸収材１４の表面には滑り止め用の凹凸部１５、１６が左右方向に溝となるように形成されている。本体シート５と衝撃吸収材７は、厚みが３ミリメートルとなるようそれぞれポリウレタン樹脂で形成したが個々に形成し接着しているが、一体的に形成しても構わないものである。
【００１５】  第２衝撃吸収材１４の内側には第２の薄肉部Ｓ２を介して内側横パッド部３の一部となる第３衝撃吸収材１７が配設されている。第３衝撃吸収材１７は、第１の衝撃吸収材１３及び第２衝撃吸収材１４と同一材質、同一高さで形成されている。第３衝撃吸収材１７の第２衝撃吸収材１４と対面する側面は、中央底パッド部２との間に５ミリメートル程度の第２の隙間Ｓ２が設けられるよう中央底パッド部２の前方底パッド部８及び後方底パッド部９の形状に合わせて内側に膨らむ円弧状に形成されている。
【００１６】  第３衝撃吸収材１７の第２衝撃吸収材１４と対面する側面の反対側の側面は、第１の張出部１０の形状に合わせて外側に膨らむ円弧状に形成されており、第３衝撃吸収材１５の稜線となる中央線も第１の張出部１０の形状に合わせて外側に膨らむ円弧状に形成されている。第３衝撃吸収材１７において中央線の内側の第３衝撃吸収材内側１６は、図１０に示すように使用中にあっては靴底に当接し、第３衝撃吸収材１５において中央線の外側の第３衝撃吸収材外側１９は、図１０に示すように使用中にあっては靴側面に当接するようになっている。第３衝撃吸収材１５の表面には滑り止め用の凹凸部２０が左右方向に溝となるように形成されている。
【００１７】  第２衝撃吸収材１４の外側には第３の薄肉部Ｓ３を介して外側横パッド部４の一部となる第４衝撃吸収材２１が配設されている。第４衝撃吸収材２１は、第１の衝撃吸収材１３及び第２衝撃吸収材１４と同一材質、同一高さで形成されている。第４衝撃吸収材２１の第２衝撃吸収材１４と対面する側面は、中央底パッド部２との間に５ミリメートル程度の第３の隙間Ｓ３が設けられるよう中央底パッド部２の前方底パッド部８及び後方底パッド部９の形状に合わせて内側に膨らむ円弧状に形成されている。
【００１８】  第４衝撃吸収材２１の第２衝撃吸収材１４と対面する側面の反対側の側面は、第２の張出部１１の形状に合わせて外側に膨らむ円弧状に形成されており、第４衝撃吸収材２１の稜線となる中央線も第２の張出部１１の形状に合わせて外側に膨らむ円弧状に形成されている。第４衝撃吸収材２１において中央線の内側の第４衝撃吸収材内側２２は、図１０に示すように使用中にあっては靴底に当接し、第４衝撃吸収材１９において中央線の外側の第４衝撃吸収材外側２３は、図１０に示すように使用中にあっては靴側面に当接するようになっている。第４衝撃吸収材２１の表面には滑り止め用の凹凸部２４が左右方向に溝となるように形成されている。
【００１９】  そして、例えば図６にも示されているように、第２の薄肉部Ｓ２、第３の薄肉部Ｓ３が内側横パッド部３及び外側横パッド部４の面において谷状となるように湾曲ないしは屈曲されることにより内側横パッド部３及び外側横パッド部４が上方に向かって立ち上がるように変形するようになっている。
【００２０】  実施例は、本体シート５の上面に中央底パッド部２を接着し、本体シート５の下面に衝撃吸収材７を接着し、中央底パッド部２及び本体シート５の上面をポリエステル製の布２４を接着することで覆っており、抗菌、防臭、吸水、速乾、素足で靴を履いても違和感がないようにしている。内側横パッド部３及び外側横パッド部４は、衝撃吸収材を用いることで衝撃吸収材という名称にしたが、低反発軟質材を用いても構わないものである。尚、２種の異材質部材は、低反発軟質材６と前記低反発部材６に比し高反発の衝撃吸収材７とで構成されていても構わないものである。
【００２１】  実施例は、低反発軟質材６でできた中央底パッド部２の全面をポリウレタン樹脂材でできた本体シート５を積層するとともに、ポリウレタン樹脂材でできた衝撃吸収材７を中央底パッド部２の要所に積層しており、本考案の効果を達成しているが、本体シート５と衝撃吸収材７は、厚みが３ミリメートルのポリウレタン樹脂材で一体的に形成しても構わないものである。中央底パッド部２と同形の本体シート５及び衝撃吸収材７を用いるとともに、これらが撓むようにして所定の効果を得るようにしても構わないものである。尚、円弧の連結にすることで変化を和らげることができる。
【００２２】  実施例は、第１の衝撃吸収材１２、第２衝撃吸収材１４、第３衝撃吸収材１７、第４衝撃吸収材２１を同一材質、同一高さで形成したが、使用部位に応じて最適な材質のものを選定するとともに、高さについても使用部位に応じて最適な高さを決定すればよいものである。
尚、２種の異材質部材は、低反発軟質材６と低反発部材６に比し高反発の衝撃吸収材７とで構成されていても構わないものである。又、本体シート５は、低反発硬質材を用いても構わないものである。
【００２３】  中央底パッド部２は、前部に位置し膨らんだ前方底パッド部８と、前方底パッド部８の後方に位置し膨らんだ後方底パッド部９とで構成されており、靴の底部Ｔに装着された状態において各中足骨２５の略先端部における横アーチＡ１が前方底パッド部８によって補助されるとともに、足根骨２６における横アーチＡ２が後方底パッド部９によって補助され更に脛側の前記中足骨２７と腓側の前記中足骨２８の両側面に対して内側横パッド部３と外側横パッド部４が足幅方向両側から当接されるようにしている。
【００２４】  中央底パッド部２を前部に位置し膨らんだ前方底パッド部８と、前方底パッド部８の後方に位置し膨らんだ後方底パッド部９とで構成するとともに、湾曲可能な内側横パッド部３及び外側横パッド部４とを備えることで、４個のパッドが実質的に独立した状態に設けられており、歩行時の動的な足裏形状の変化に適切に追従し、歩行の補助がされるとともにハイヒールＫなどの底面Ｔにも対応できる。
【００２５】  また、各中足骨２５の略先端部における横アーチＡ１や足根骨における横アーチＡ２が中央底パッド部２で補助されていることによって、歩行の補助効果がある。足の衝撃吸収や歩行機能に関して、これら二つの横アーチを補助することが重要であることは「良い靴の基礎知識（改訂１１版）日本靴総合研究会出版などに本考案の関連する技術文献に開示されている。
【００２６】  上記した二つの横アーチを実質的に独立して補助しえる事が本考案の特徴であり、これによって、ハイヒールＫなどを用いて歩行するに際しても歩行時の動的な足裏形状の変化に適切に追従し、各横アーチが各底パッド部で補助されることとなり、優れた歩行支援が可能となる。しかも内側横パッド部３と外側横パッド部４が脛側中足骨と腓側中足骨の両側面に対してあてがわれていることから、脛、腓、両側の各中足骨がその長さ方向の広い範囲で各横パッド部に補助されることとなる。
【００２７】  更に、前後の底パッド部８、９による二つの横アーチの保持と、内外の横パッド部１７、２１による足幅方向両側からの有効な押圧力の作用によって足が上下に厚く、即ち、有効アーチで中足骨部分の甲高さも大きく出来る。これは足の健康のためだけでなく、靴のフィッティングに関しても重要である。
【００２８】  靴用中敷きパッド１を使用すると、前方底パッド部８から前方に向かって５本の足指が突出し、５本の足指が靴の中底に直接乗ることになる。足指が収納される靴の先端部分が中敷きによって狭められることがないことから足指を不必要に圧迫することもない。また、足指が直接靴の中底に載せられることから、歩行時に足指の蹴り出し動作に伴う力が中底に効率よく伝えられることとなり、歩行が効率よくなされるとともに、靴を履いた感覚も良好に維持できる。
【００２９】  靴用中敷きパッド１を使用すると、後方底パッド部９から後方に向かって踵が突出し、踵が靴の中底に直接乗ることになる。踵が収納される靴の後端部の深さ寸法が中敷き１によって小さくされることがなく、中敷き１を装着することで靴Ｋが脱げるようなことの無いものである。
【００３０】  前方底パッド部８は、突出高さが略中央部分が最も高くされた形状を有しており、使用時において、各中足骨の趾骨との接続部分の下方に位置しており、各中足骨の趾骨との接続部分が前方底パッド部で安定して支持されるのでその結果、各中足骨の先端部における横アーチＡ１が一層効果的に補助される。
【００３１】  このような構造にされた中敷きパッド１は、例えば図７〜図１０に示されているように、ハイヒールＫに装着される。ハイヒールＫは踵がのる後端部にヒール２９を有しており、足の爪先が乗る前方から踵が乗る後方に行くに従って次第に高くなるように傾斜した中底Ｔを備えている。足指や甲、踵等を全周に亘って覆うアッパー３０が中底２９等の外周縁部から立ち上がって設けられており、中底Ｔとアッパー３０とで囲まれた部分に足が挿入される収容部３１が形成されている。
【００３２】  このハイヒールＫには中敷きパッド１がアッパー３０の開口部から収容部３１に入れられて前方底パッド部８がハイヒールＫの前方に向けられて装着されるのであり、第１の薄肉部Ｓ１が谷状に湾曲されることにより、湾曲した中底Ｔの形状に沿うようにして衝撃吸収材７が中底Ｔの表面に重ね合わされて位置決めされている。この時、必要に応じて両面テープを用いて固定しても構わない。
【００３３】  このようにして中敷きパッド１が装着されたハイヒールＫにおいては、各中足骨２５の略先端部における横アーチＡ１としての前部中足骨アーチＡ１が前方底パッド部８で補助されるようになっている。その結果、前部中足骨アーチＡ１が正しいアーチ形状となるように、前方底パッド部８で下方から補助されて足のアーチが有効に保たれるのである。
【００３４】  又、足根骨２６の一部を構成する３つの楔状骨３２や立方骨３３における横アーチＡ２としての横断アーチＡ２が後方底パッド９で補助されるようになっている。その結果、横アーチＡ２としての横断アーチＡ２が正しいアーチ形状となるように、後方底パッド部９で下方から補助されて足のアーチが有効に保たれるのである。
【００３５】  これらの前部中足骨アーチＡ１と横断アーチＡ２のアーチ形が状前後の底パッド部８、９で保持されることにより、足の本来の機能が有効に発揮されて衝撃吸収や体重移動等が正常に行われることとなり、足の健康に寄与することになる。しかも、二つのアーチＡ１、Ａ２のアーチ形状が積極的に保持されることにより左右水平方向に広がった不健康な足も甲高さが十分に確保されることになり、その結果、足の収容部に差し入れられた足が足の甲部において靴Ｋの中底Ｔとアッパー３０によって上下両側から挟まれるようにして保持されることになり、足が足幅方向だけでなく上下の高さ方向でも靴内面で保持されることにより、足の下面と甲面を含む周囲全周を取り巻くようにして靴の内面にフィットさせることとなり、足の良好な健康状態を保ちつつ、靴への優れたフィッティングが実現されて、例えば、歩行中における足の靴内での不快なバタツキ等も効果的に抑えることが出来るのである。
【００３６】  更に、脛側の中足骨２７の側面には前後方向の中間部分から後方にかけて内側横パッド部３があてがわれるようになっている。また、腓側の前記中足骨２８の側面にも前後方向の中間部分から後方にかけて外側横パッド部４があてがわれるようになっている。収容部に足が入れられた際、内側横パッド部３の前方の端縁部が脛側の中足骨２７よりも実質的に後方に位置されるようになっているとともに、外側横パッド部４の前方の端縁部が腓側中足骨２８よりも実質的に後方に位置されるようになっている。
【００３７】  これにより、足の両側が内側横パッド部３及び外側横パッド部４で保護されて前部中足骨アーチＳ１と横断アーチＳ２のアーチ形状が一層有利に保持されるようになっている。
【符号の説明】
【００３８】    １  靴用中敷きパッド
２  中央底パッド部
３  内側横パッド部
４  外側横パッド部
５  本体シート
６  低反発軟質材
７  衝撃吸収材
８  前方底パッド部
９  後方底パッド部
【図１】
0003221766.tif 000003
【図２】
0003221766.tif 000004
【図３】
0003221766.tif 000005
【図４】
0003221766.tif 000006
【図５】
0003221766.tif 000007
【図６】
0003221766.tif 000008
【図７】
0003221766.tif 000009
【図８】
0003221766.tif 000010
【図９】
0003221766.tif 000011
【図１０】
0003221766.tif 000012
【手続補正書】
【提出日】平成31年4月12日(2019.4.12)
【手続補正１】
【補正対象書類名】明細書
【補正対象項目名】０００９
【補正方法】変更
【補正の内容】
【０００９】
【図１】本考案の靴用中敷きパッドの一実施例の左足用の平面図である。
【図２】同上の靴用中敷きパッドの底面図である。
【図３】図１におけるＡ−Ａ断面図である。
【図４】図１におけるＢ−Ｂ断面図である。
【図５】図１におけるＣ−Ｃ断面図である。
【図６】本考案の靴用中敷きパッドの動作状態を説明する図４に対応する断面図である。
【図７】図１の靴用中敷きパッドをハイヒールに装着した縦断面図である。
【図８】図７における靴用中敷きパッドの装着状態においてハイヒールのアッパーを除いた状態を示す平面図である。
【図９】図８におけるＤ−Ｄ断面図である。
【図１０】図８におけるＥ−Ｅ断面図である。